【手続補正書】
【提出日】平成20年4月18日(2008.4.18)
【手続補正１】
【補正対象書類名】明細書
【補正対象項目名】特許請求の範囲
【補正方法】変更
【補正の内容】
【特許請求の範囲】
【請求項１】  ポリマー鎖が、式：
ＣＦＸ＝ＣＸＯＣＦ2ＯＲ      （Ｉ）
［式中、ＲはＣ2〜Ｃ6直鎖状もしくは分岐状あるいはＣ5〜Ｃ6環状（ペル）フルオロアルキル基、または１〜３の酸素原子を含むＣ2〜Ｃ6直鎖状もしくは分岐状（ペル）フルオロオキシアルキル基であり；Ｒが上で定義したフルオロアルキルまたはフルオロオキシアルキル基であるとき、これらの基はＨ、Ｃｌ、ＢｒおよびＩから選択され、互いに等しくまたは異なる１〜２の原子を含むことができる；Ｘ＝Ｆ、Ｈ］
のフルオロビニルエーテルから誘導される単位からなるフルオロエラストマー。
【請求項２】  ポリマー鎖が、式：
ＣＦＸ＝ＣＸＯＣＦ2ＯＣＦ2ＣＦ2Ｙ      （ＩＩ）
［式中、Ｙ＝Ｆ、ＯＣＦ3；Ｘは上記のとおり］
のフルオロビニルエーテルから誘導される単位からなる請求項１によるフルオロエラストマー。
【請求項３】  ポリマー鎖が、式：
ＣＦ2＝ＣＦＯＣＦ2ＯＣＦ2ＣＦ2Ｙ      （ＩＩＩ）
［式中、Ｙは上記のとおりである］
のフルオロビニルエーテルから誘導される単位からなる請求項１または２によるフルオロエラストマー。
【請求項４】  ポリマー鎖が、式：
ＣＦ2＝ＣＦＯＣＦ2ＯＣＦ2ＣＦ3      （ＩＶ）
のフルオロビニルエーテルから誘導される単位からなる請求項１〜３のいずれか１つによるフルオロエラストマー。
【請求項５】  結晶領域の消失を引き起こすような量のフルオロビニルエーテルを用いて、コモノマーと共に、請求項１〜４のいずれか１つに記載したフルオロビニルエーテルを重合することにより得られうる請求項１〜４のいずれか１つによるフルオロエラストマー。
【請求項６】  フルオロビニルエーテルの量が１０モル％より高く、好ましくは１５〜２０モル％の範囲またはそれ以上である請求項５によるフルオロエラストマー。
【請求項７】  コモノマーが、任意に分子中に水素および／または塩素および／または臭素および／またはヨウ素および／または酸素を含む、重合性二重結合Ｃ＝Ｃを少なくとも１つ有するフッ素化された化合物であり、該コモノマーがラジカル開始剤の存在下に（コ）ポリマーを製造しうる請求項１〜６のいずれか１つによるフルオロエラストマー。
【請求項８】  任意の共重合性コモノマーが、フッ素化されていないＣ2〜Ｃ8オレフィン、好ましくはエチレン、プロピレン、イソブチレンである請求項７によるフルオロエラストマー。
【請求項９】  コモノマーが以下：
−  Ｃ2〜Ｃ8ペルフルオロオレフィン、好ましくはテトラフルオロエチレン（ＴＦＥ）、ヘキサフルオロプロペン（ＨＥＰ）、ヘキサフルオロイソブテン；
−  Ｃ2〜Ｃ8水素化フルオロオレフィン、好ましくはフッ化ビニル（ＶＦ）、フッ化ビニリデン（ＶＤＦ）、トリフルオロエチレン、ＣＨ2＝ＣＨ−Ｒ2fペルフルオロアルキルエチレン
［式中、Ｒ2fはＣ1〜Ｃ6ペルフルオロアルキルである］；
−  Ｃ2〜Ｃ8クロロ−および／またはブロモ−および／またはヨード−フルオロオレフィン、好ましくはクロロトリフルオロエチレン（ＣＴＦＥ）およびブロモトリフルオロエチレン；
−  ＣＦ2＝ＣＦＯＲ2f（ペル）フルオロアルキルビニルエーテル（ＰＡＶＥ）
［式中、Ｒ2fはＣ1〜Ｃ6（ペル）フルオロアルキル、好ましくはトリフルオロメチル、ブロモジフルオロメチルまたはヘプタフルオロプロピルである］；
−  ＣＦ2＝ＣＦＯＸa（ペル）フルオロ−オキシアルキルビニルエーテル
［式中、Ｘaは：１以上のエーテル基を有する、Ｃ1〜Ｃ12アルキル、またはＣ1〜Ｃ12オキシアルキル、またはＣ1〜Ｃ12（ペル）フルオロオキシアルキル、好ましくはペルフルオロ−２−プロポキシプロピルである］；
−  構造ＣＦ2＝ＣＦＯＸbＳＯ2Ｆ
［式中、Ｘb＝ＣＦ2ＣＦ2、ＣＦ2ＣＦ2ＣＦ2、ＣＦ2ＣＦ（ＣＦ2Ｘc）［ここで、Ｘc＝Ｆ、Ｃｌ、Ｂｒ］］
を有するスルホン酸系モノマー；
−  一般式：
ＲI1ＲI2Ｃ＝ＣＲI3−Ｚ−ＣＲI4＝ＣＲI5ＲI6    （ＩＡ）
［式中、ＲI1、ＲI2、ＲI3、ＲI4、ＲI5、ＲI6は、同一または互いに異なって、ＨまたはＣ1〜Ｃ5アルキルであり；
Ｚは、任意に酸素原子を含み、好ましくは少なくとも部分的にフッ素化された、Ｃ1〜Ｃ18直鎖状もしくは分岐状アルキレンもしくはシクロアルキレン基または、（ペル）フルオロポリオキシアルキレン基である］
を有するビス−オレフィン
の１またはそれ以上から選択される請求項７または８によるフルオロエラストマー。
【請求項１０】  式（ＩＡ）のビス−オレフィンにおいて、Ｚが、Ｃ4〜Ｃ12ペルフルオロアルキレン基であり、ＲI1、ＲI2、ＲI3、ＲI4、ＲI5、ＲI6は水素である請求項９によるフルオロエラストマー。
【請求項１１】  式（ＩＡ）のビス−オレフィンにおいて、
Ｚが式：
−（Ｑ）p−ＣＦ2Ｏ−（ＣＦ2ＣＦ2Ｏ）ma（ＣＦ2Ｏ）na―ＣＦ2−（Ｑ）p−        （ＩＩＡ）
［式中、
ＱはＣ1〜Ｃ10のアルキレンまたはオキシアルキレン基であり；
ｐは０または１であり；
ｍａとｎａは、ｍａ／ｎａ比が０．２〜５の範囲であるような整数である］
を有する（ペル）フルオロポリオキシアルキレン基であり、
該（ペル）フルオロポリオキシアルキレン基の分子量が、５００〜１０，０００の範囲、好ましくは、１，０００〜４，０００の範囲である請求項９または１０によるフルオロエラストマー。
【請求項１２】  構造式（ＩＡ）のビス−オレフィンにおいて、Ｑが、以下の群：
−ＣＨ2ＯＣＨ2−；−ＣＨ2Ｏ（ＣＨ2ＣＨ2Ｏ）SＣＨ2−
［ｓ＝１〜３］
から選択される請求項９〜１１のいずれか１つによるフルオロエラストマー。
【請求項１３】  式（ＩＡ）のビス−オレフィンから誘導される単位鎖中の量が、０．０１〜１．０モルの範囲である請求項９〜１２のいずれか１つによるフルオロエラストマー。
【請求項１４】  基本のフルオロエラストマー構造が、
（１）  Ｃ2〜Ｃ8のペルフルオロオレフィン、好ましくはテトラフルオロエチレン（ＴＦＥ）、ヘキサフルオロプロペン（ＨＦＰ）；
Ｃ2〜Ｃ8のクロロ−および／またはブロモ−および／またはヨード−フルオロオレフィン、好ましくはクロロトリフルオロエチレン（ＣＴＦＥ）およびブロモトリフルオロエチレン；
ＣF2＝ＣＦＯＲtf（ペル）フルオロアルキルビニルエーテル（ＰＡＶＥ）［式中、Ｒtfは、Ｃ1〜Ｃ6の（ペル）フルオロアルキル、好ましくはトリフルオロメチル、ブロモジフルオロメチル、ペンタフルオロプロピルである］；
ＣＦ2＝ＣＦＯＸtペルフルオロ−オキシアルキルビニルエーテル［式中、Ｘtは、１またはそれ以上のエーテル基を有する、Ｃ1〜Ｃ12のペルフルオロ−オキシアルキル、好ましくはペルフルオロ−２−プロポキシ−プロピルである］；
Ｃ2〜Ｃ8の非フッ素化オレフィン（Ｏ１）、好ましくはエチレンおよびプロピレン：
から選択される少なくとも１つのコモノマーと共に共重合されたＶＤＦをベースとするコポリマー、
（２）  ＣＦ2＝ＣＦＯＲtf（ペル）フルオロアルキル−ビニルエーテル（ＰＡＶＥ）［式中、Ｒtfは、上で定義したとおりである］；
ＣＦ2＝ＣＦＯＸtペルフルオロ−オキシアルキルビニルエーテル［式中、Ｘtは、上で定義したとおりである］；
水素および／または塩素および／または臭素および／またはヨウ素原子を含むＣ2〜Ｃ8のフルオロオレフィン；
Ｃ2〜Ｃ8の非フッ素化オレフィン（Ｏ１）：
から選択される少なくとも１つのコモノマーと共に共重合されたＴＦＥをベースとするコポリマー：
から選択される請求項１〜１３のいずれか１つによるフルオロエラストマー。
【請求項１５】  以下の基本モノマー組成（モル％）：
ＶＤＦ                                              ４５〜８５
ＨＦＰおよび／またはＰＡＶＥ                          ０〜４５
ＴＦＥ                                                ０〜３０
ＭＯＶＥ                          １〜４５、好ましくは５〜４０
Ｏ１                                                  ０〜４０
ＨＦＰ＋ＰＡＶＥ＋ＭＯＶＥの合計は最大４５モル％；または
ＴＦＥ                                              ５０〜８５
ＰＡＶＥ                                              ０〜５０
ＭＯＶＥ                          １〜５０、好ましくは５〜４０
Ｏ１                                                  ０〜４０
ＰＡＶＥ＋ＭＯＶＥの合計は最大５０モル％
を有する請求項１４によるフルオロエラストマー。
【請求項１６】  フルオロエラストマーが、鎖中に、好ましくは反応性部位、すなわちヨウ素および／もしくは臭素、好ましくはヨウ素を含み、ならびに／またはヨウ化および／もしくは臭化連鎖移動剤を用いて、過酸化ルートで、任意に少量の上述のビス−オレフィン存在下、硬化可能な請求項１４または１５によるフルオロエラストマー。
【請求項１７】  以下の組成（モル％で表した）：
フルオロエラストマーが、Ｏ−リング製造に使用される場合：
ＶＤＦ                                              ４８〜６５
ＨＦＰ                                              ２０〜３５
ＰＡＶＥ                                                ０〜６
ＴＦＥ                                                ０〜２０
ＭＯＶＥ                                                ３〜９
ＰＡＶＥ＋ＭＯＶＥの合計は１０モル％またはそれ以下である；または、
フルオロエラストマーが、シャフトのシールまたは燃料ホースを製造に使用される場合：
ＶＤＦ                                              ３０〜４７
ＨＦＰ                                              ２０〜４０
ＰＡＶＥ                                              ０〜１７
ＴＦＥ                                              １０〜３０
ＭＯＶＥ                                              ３〜２０
ＰＡＶＥ＋ＭＯＶＥの合計は２０モル％またはそれ以下である：
を有するイオン性ルートで硬化可能な請求項１３〜１５のいずれか１つによるフルオロエラストマー。